(57)【要約】【課題】車両が正面から衝突した際に、燃料ガスポンプの破損およびダッシュパネルのキャビン側の変形を抑えることができる燃料電池車両を提供する。【解決手段】燃料ガスポンプ３８は、燃料電池車両１の平面視において、燃料ガスポンプを駆動するモータＭの回転軸線Ｌ１が、燃料電池車両１の前後方向に沿った基準線Ｌ２に対して傾斜するように、ブラケット４を介してスタックフレーム２に固定されている。２つの締結部材５ａ、５ｂは、それぞれ、取付け部４ａに形成された貫通孔４ｅまたは切欠き部６に挿通した状態で、スタックフレーム２とブラケット４とを固定している。一方の締結部材５ａを回転中心として、ブラケット４が燃料ガスポンプ３８と共にスタックフレーム２に対して回動したときに、他方の締結部材５ａが、切欠き部６の開口部６ｂから抜け出すように、切欠き部６が形成されている。【選択図】図５
2019142357.tif 000002
【特許請求の範囲】
【請求項１】
燃料電池スタックと、前記燃料電池スタックから排出された燃料オフガスの一部を前記燃料電池スタックへ循環させる燃料ガスポンプと、を備えた燃料電池車両であって、
前記燃料電池車両は、車両前方において、前記燃料電池スタックおよび前記燃料ガスポンプを収容するフロントルームと、前記フロントルームとキャビンとを区画するダッシュパネルと、を備えており、
前記燃料電池スタックは、スタックフレームに載置され、前記スタックフレームは、前記フロントルームに固定されており、
前記燃料ガスポンプは、前記スタックフレームから前記ダッシュパネル側に突出した状態で、前記スタックフレームの下部に取付けられており、
前記燃料ガスポンプは、前記燃料電池車両の平面視において、前記燃料ガスポンプを駆動するモータの回転軸線が、前記燃料電池車両の前後方向に沿った基準線に対して傾斜するように、ブラケットを介して前記スタックフレームに固定されており、
前記ブラケットは、水平方向に延在した平板状の取付け部を有し、前記ブラケットは、前記取付け部において、２つの締結部材により前記スタックフレームに取り付けられており、
前記２つの締結部材のうち一方の締結部材は、前記取付け部に形成された貫通孔に挿通した状態で、前記スタックフレームと前記ブラケットとを固定しており、他方の締結部材は、前記取付け部に形成された切欠き部に挿通した状態で、前記スタックフレームと前記ブラケットとを固定しており、
前記貫通孔に挿通された前記一方の締結部材を回転中心として、前記ブラケットが前記燃料ガスポンプと共に前記スタックフレームに対して回動したときに、前記他方の締結部材が、前記切欠き部の開口部から抜け出すように、前記切欠き部が形成されていることを特徴とする燃料電池車両。
【発明の詳細な説明】
【技術分野】
【０００１】
本発明は、燃料電池スタックが搭載された燃料電池車両に関する。
【背景技術】
【０００２】
従来から、燃料電池車両には、車両前方のフロントルームに燃料電池スタックおよびその周辺機器（補機）が搭載されている。燃料電池スタックは、フロントルームに固定されたスタックフレームに載置されており、コンプレッサおよび燃料ガスポンプなどの補機が、スタックフレームの下部に取付けられている（例えば特許文献１参照）。
【先行技術文献】
【特許文献】
【０００３】
【特許文献１】特開２０１７−７４８１９号公報
【発明の概要】
【発明が解決しようとする課題】
【０００４】
ここで、スタックフレームの下部に取付けられた燃料ガスポンプは、燃料電池スタックからの燃料オフガスを回収し、回収した燃料オフガスの一部を燃料ガスとして、再度燃料電池スタックへ供給する。燃料電池スタックは、スタックフレームに載置されているため、燃料ガスポンプにより燃料電池スタックに燃料オフガスをより短い経路で循環させようとすると、燃料ガスポンプを、例えば、スタックフレームから、ダッシュパネル側に突出させて、スタックフレームに取付けることが想定される。
【０００５】
しかしながら、このような取付け状態において、燃料電池車両が正面から衝突した場合、スタックフレームとともに、これに取付けられた燃料電池スタックおよび補機が、ダッシュパネル側に移動する。この際、スタックフレームから突出した燃料ガスポンプが、ダッシュパネルに押し込まれ、燃料ガスポンプが破損するとともに、ダッシュパネルがキャビン側に変形してしまうおそれがある。
【０００６】
本発明は、このような問題に鑑みてなされたものであって、その目的は、車両が正面から衝突した際に、燃料ガスポンプの破損およびダッシュパネルのキャビン側の変形を抑えることができる燃料電池車両を提供することにある。
【課題を解決するための手段】
【０００７】
前記課題を鑑みて、本発明に係る燃料電池車両は、燃料電池スタックと、前記燃料電池スタックから排出された燃料オフガスの一部を前記燃料電池スタックへ循環させる燃料ガスポンプと、を備えた燃料電池車両である。前記燃料電池車両は、車両前方において、前記燃料電池スタックおよび前記燃料ガスポンプを収容するフロントルームと、前記フロントルームとキャビンとを区画するダッシュパネルと、を備えている。前記燃料電池スタックは、スタックフレームに載置され、前記スタックフレームは、フロントルームに固定されている。前記燃料ガスポンプは、前記スタックフレームから前記ダッシュパネル側に突出した状態で、前記スタックフレームの下部に取付けられている。前記燃料ガスポンプは、前記燃料電池車両の平面視において、前記燃料ガスポンプを駆動するモータの回転軸線が、前記燃料電池車両の前後方向に沿った基準線に対して傾斜するように、ブラケットを介して前記スタックフレームに固定されている。前記ブラケットは、水平方向に延在した平板状の取付け部を有し、前記ブラケットは、前記取付け部において、２つの締結部材により前記スタックフレームに取り付けられている。前記２つの締結部材のうち一方の締結部材は、前記取付け部に形成された貫通孔に挿通した状態で、前記スタックフレームと前記ブラケットとを固定しており、他方の締結部材は、前記取付け部に形成された切欠き部に挿通した状態で、前記スタックフレームと前記ブラケットとを固定している。前記貫通孔に挿通された前記一方の締結部材を回転中心として、前記ブラケットが前記燃料ガスポンプと共に前記スタックフレームに対して回動したときに、前記他方の締結部材が、前記切欠き部の開口部から抜け出すように、前記切欠き部が形成されていることを特徴とする。
【０００８】
本発明によれば、車両が正面から衝突した際には、フロントルームに取付けられたスタックフレームが、ダッシュパネル側に移動する。このとき、燃料ガスポンプは、スタックフレームからダッシュパネル側に突出した状態で、スタックフレームの下部に取付けられているので、燃料ガスポンプは、スタックフレームと共にダッシュパネル側に移動し、燃料ガスポンプがダッシュパネルに接触する。
【０００９】
ここで、燃料ガスポンプは、燃料電池車両の平面視において、燃料ガスポンプを駆動するモータの回転軸線が、燃料電池車両の前後方向に沿った基準線に対して傾斜するように、ブラケットを介してスタックフレームに固定されている。これにより、燃料ガスポンプがダッシュパネルに接触すると、燃料ガスポンプにモーメントが作用し、燃料ガスポンプはダッシュパネルから離れる方向に回動しようとする。
【００１０】
このとき、貫通孔に挿通された一方の締結部材を回転中心として、ブラケットが燃料ガスポンプと共にスタックフレームに対して回動し、他方の締結部材が、切欠き部の開口部から抜け出す。このようにして、燃料ガスポンプが、ブラケットとともに無理なく回動するので、燃料ガスポンプが、ダッシュパネルをキャビン側に押し込むことを回避することができる。この結果、燃料ガスポンプの破損を抑えるとともに、燃料ガスポンプによるダッシュパネルのキャビン側への変形を抑えることができる。
【発明の効果】
【００１１】
本発明の燃料電池車両によれば、車両が正面から衝突した際に、燃料ガスポンプの破損およびダッシュパネルのキャビン側への変形を抑えることができる。
【図面の簡単な説明】
【００１２】
【図１】本発明に係る燃料電池車両の一実施形態の概念図である。
【図２】図１に示す燃料電池車両で用いる燃料電池システムのシステム構成図である。
【図３】図１に示す燃料電池車両の一実施形態の主要部分の側面を示す要部模式図である。
【図４】図３の底面を示す要部模式図である。
【図５】図３および図４に示す主要部分の展開斜視図である。
【図６Ａ】図３〜５に示す燃料ガスポンプと気液分離器の要部斜視図である。
【図６Ｂ】ブラケットの底面図である。
【図７】衝撃の小さい衝突時の動作を示す要部模式図である。
【図８】衝撃の大きい衝突時の動作を示す要部模式図である。
【図９】燃料ガスポンプの通常時の配置位置を示す下面図である。
【図１０】燃料ガスポンプの衝突時の回動時の配置位置を示す下面図である。
【発明を実施するための形態】
【００１３】
以下、本発明に係る燃料電池車両の一実施形態を図面に基づき詳細に説明する。図１は、本実施形態に係る燃料電池車両の概念図であり、図２は、図１に示す燃料電池車両で用いる燃料電池システムのシステム構成図である。図３は、図１、図２に示す燃料電池車両の一実施形態の主要部分の側面を示す要部模式図であり、図４は、図３の底面を示す要部模式図であり、図５は、図３および図４の要部展開斜視図である。
【００１４】
先ず、本発明に係る燃料電池車両について、図１を参照して説明する。図１において、燃料電池車両１は乗用車等の車両であり、車両前方においてフロントルームＲが形成されている。フロントルームＲには、燃料電池スタック１０と、補機の一部として、コンプレッサ２２、気液分離器３７、および水素ポンプなどの燃料ガスポンプ３８が収容されている。コンプレッサ２２は、燃料電池スタック１０に酸化剤ガスを供給する酸化剤ガス供給系２０の一部を構成している。気液分離器３７および燃料ガスポンプ３８は、燃料電池スタック１０から排出された燃料オフガスを燃料電池スタック１０に循環させる循環流路３６を構成している（図２参照）。
【００１５】
燃料電池車両１は、車両前方において、フロントルームＲと、搭乗者が搭乗するキャビンＣとの間に、これらを区画するダッシュパネル４０を備えている。ダッシュパネル４０は、鋼またはアルミニウム合金などの金属製のパネルであり、気液分離器３７に比べて剛性が高い。ダッシュパネル４０は、キャビンＣの床面を構成するフロアボード４１とこのフロアボード４１から傾斜して上方に延在するトーボード４２とを備えている。ダッシュパネル４０は、キャビンＣの空間を確保するための図示していない補強材を備えている。この補強材は燃料ガスポンプ３８に比べて剛性が高い。
【００１６】
図３に示すように、燃料電池スタック１０は、スタックフレーム２の上部に載置され、スタックフレーム２は、フロントルームＲに固定されている。コンプレッサ２２は、コンプレッサブラケット３を介してスタックフレーム２の下部に吊下げた状態で取付け固定されている。燃料ガスポンプ３８は、スタックフレーム２からダッシュパネル４０側に突出した状態でかつブラケット４を介して吊下げられた状態で、スタックフレーム２の下部に取付けられている。
【００１７】
また、気液分離器３７は、スタックフレーム２および燃料ガスポンプ３８からダッシュパネル４０側に突出した状態で、燃料ガスポンプ３８の下部に取付けられている。燃料ガスポンプ３８は、たとえば、鉄系材料またはアルミニウム系材料などの金属材料からなる金属製の機器であり、気液分離器３７は、たとえば、ポリフェニレンサルファイド（ＰＰＳ）、ポリアミド（ＰＡ）などの樹脂製の機器である。そして、燃料電池車両１のリア部分には、燃料電池スタック１０に水素ガスを供給する燃料ガス供給系３０を構成する燃料ガス供給源３１が搭載されている。
【００１８】
つぎに、本実施形態に係る燃料電池車両１で用いる燃料電池システムのシステム構成について、図２を参照して説明する。図２に示される燃料電池システムは、例えば、単位セルである燃料電池セルを複数個積層させて構成された燃料電池（燃料電池スタック）１０と、燃料電池１０に空気等の酸化剤ガスを供給する酸化剤ガス供給系２０と、燃料電池１０に水素等の燃料ガスを供給する燃料ガス供給系３０とを備えている。
【００１９】
例えば、固体高分子型燃料電池１０の燃料電池セルは、イオン透過性の電解質膜と、該電解質膜を挟持するアノード側触媒層（アノード電極）およびカソード側触媒層（カソード電極）とからなる膜電極接合体（ＭＥＡ：Membrane Electrode Assembly）を備えている。ＭＥＡの両側には、燃料ガスもしくは酸化剤ガスを供給するとともに電気化学反応によって生じた電気を集電するためのガス拡散層（ＧＤＬ：Gas Diffusion Layer）が形成されている。ＧＤＬが両側に配置された膜電極接合体は、ＭＥＧＡ（Membrane Electrode & Gas Diffusion Layer Assembly）と称され、ＭＥＧＡは、一対のセパレータにより挟持されている。ここで、ＭＥＧＡが燃料電池の発電部であり、ガス拡散層がない場合には、ＭＥＡが燃料電池の発電部となる。
【００２０】
酸化剤ガス供給系２０は、例えば、燃料電池１０（のカソード電極）に酸化剤ガスを供給するための酸化剤ガス供給流路２５と、燃料電池１０に供給され、各燃料電池セルで電気化学反応に供された後の酸化剤オフガスを燃料電池１０から排出する酸化剤ガス排出流路２９と、を備えている。さらに、酸化剤ガス供給流路２５を介して供給される酸化剤ガスを、燃料電池１０を介さずに酸化剤ガス排出流路２９へと流通させるバイパス流路２６とを有する。酸化剤ガス供給系２０の各流路は、例えば、ゴムホースや金属製のパイプ等の配管によって構成することができる。
【００２１】
酸化剤ガス供給流路２５には、上流側から、エアクリーナ２１、コンプレッサ２２、インタクーラ２３等が備えられ、酸化剤ガス排出流路２９には、マフラ２８等が備えられている。なお、酸化剤ガス供給流路２５（のエアクリーナ２１）には、例えば、図示を省略する大気圧センサ、エアフローメータ等が設けられる。
【００２２】
酸化剤ガス供給流路２５において、エアクリーナ２１は、大気中から取り込む酸化剤ガス（空気等）中の塵埃を除去する。コンプレッサ２２は、前記エアクリーナ２１を介して導入された酸化剤ガスを圧縮し、圧縮された酸化剤ガスをインタクーラ２３へ圧送する。インタクーラ２３は、コンプレッサ２２から圧送されて導入された酸化剤ガスを通過させるときに、例えば冷媒との熱交換によって冷却し、燃料電池１０（のカソード電極）に供給する。酸化剤ガス供給流路２５には、インタクーラ２３と燃料電池１０との間の酸化剤ガスの流れを遮断するための入口弁２５Ｖが設けられている。
【００２３】
バイパス流路２６は、一端が酸化剤ガス供給流路２５（のインタクーラ２３もしくはその下流側）に接続され、他端が酸化剤ガス排出流路２９に接続されている。バイパス流路２６には、コンプレッサ２２によって圧送され、インタクーラ２３によって冷却されて排出された酸化剤ガスが、燃料電池１０をバイパスして酸化剤ガス排出流路２９へ向けて流れる。このバイパス流路２６には、酸化剤ガス排出流路２９へ向けて流れる酸化剤ガスを遮断して当該バイパス流路２６を流れる酸化剤ガスの流量を調整するためのバイパス弁２６Ｖが設けられている。
【００２４】
酸化剤ガス排出流路２９において、マフラ２８は、酸化剤ガス排出流路２９に流れる酸化剤オフガス（排出ガス）を、例えば、気相と液相とに分離して外部に排出する。また、酸化剤ガス排出流路２９には、燃料電池１０に供給される酸化剤ガスの背圧を調整するための調圧弁２９Ｖが設けられる。調圧弁２９Ｖの下流側に、前記したバイパス流路２６が接続されている。
【００２５】
一方、燃料ガス供給系３０は、例えば、水素等の高圧の燃料ガスを貯留する水素タンク等の燃料ガス供給源３１と、燃料ガス供給源３１からの燃料ガスを燃料電池１０（のアノード電極）へ供給する燃料ガス供給流路３５と、燃料電池１０から排出された燃料オフガス（未消費の燃料ガス）の一部を燃料ガス供給流路３５に還流させる循環流路３６と、循環流路３６に分岐接続されて循環流路３６内の燃料オフガスを外部へ排出（大気放出）する燃料ガス排出流路３９とを有する。燃料ガス供給系３０の各流路は、例えば、ゴムホースや金属製のパイプ等の配管によって構成することができる。
【００２６】
燃料ガス供給流路３５には、燃料ガス供給流路３５を開閉して燃料電池１０へ向けて流れる燃料ガスを遮断するための遮断弁３５Ｖと、燃料ガス供給流路３５を流れる燃料ガスの圧力を調整（減圧）するためのレギュレータ３４と、調圧された燃料ガスを燃料電池１０へ向けて供給するためのインジェクタ３３とが設けられる。遮断弁３５Ｖを開くと、燃料ガス供給源３１に貯留された高圧の燃料ガスが燃料ガス供給源３１から燃料ガス供給流路３５に流出し、レギュレータ３４やインジェクタ３３により調圧（減圧）されて、燃料電池１０（のアノード電極）に供給される。
【００２７】
循環流路３６には、上流側（燃料電池１０側）から、気液分離器３７、燃料ガスポンプ（水素ポンプともいう）３８等が備えられている。気液分離器３７は、循環流路３６に流れる燃料ガス（水素等）に含まれる生成水を気液分離して貯留する。この気液分離器３７から分岐して、燃料ガス排出流路３９が設けられている。燃料ガスポンプ３８は、気液分離器３７で気液分離し液体分が分離された燃料オフガスの一部を圧送して燃料ガス供給流路３５へ循環させる。
【００２８】
燃料ガス排出流路３９には、燃料ガス排出流路３９を開閉して、気液分離器３７で分離した生成水と燃料電池１０から排出された燃料オフガスの一部を排出するためのパージ弁３９Ｖが設けられる。燃料ガス排出流路３９のパージ弁３９Ｖの開閉調整を経て排出される燃料オフガスは、酸化剤ガス排出流路２９を流れる酸化剤オフガスと混合され、マフラ２８を介して外部に大気放出される。
【００２９】
上記構成を有する燃料電池システムは、酸化剤ガス供給系２０によって燃料電池１０（のカソード電極）に供給された空気等の酸化剤ガスと、燃料ガス供給系３０によって燃料電池１０（のアノード電極）に供給された水素等の燃料ガスとの電気化学反応によって発電を行う。
【００３０】
つぎに、本実施液体に係る燃料電池車両１の特徴構成について、図３〜図６Ｂを参照して以下に詳細に説明する。本実施形態の燃料電池車両１は、燃料電池スタック１０に供給される酸化剤ガスを圧縮して吐出するコンプレッサ２２と、燃料電池スタック１０から排出された燃料オフガスより気液を分離する気液分離器３７と、気液分離器３７で液体分を分離された燃料オフガスの一部を燃料電池スタック１０へ循環させる水素ポンプ等の燃料ガスポンプ３８と、をフロントルームＲ内に備えている。
【００３１】
より具体的には、燃料電池スタック１０は、スタックフレーム２の上部に搭載されており、コンプレッサ２２は、燃料ガスポンプ３８よりも車両前方側において、スタックフレーム２の下部に、コンプレッサブラケット３を介して取付けられている。
【００３２】
燃料ガスポンプ３８は、燃料ガスを吸い込み、吸込んだ燃料ガスを外部に吐出するためのモータＭを備えている。燃料ガスポンプ３８は、コンプレッサ２２よりも車両の後方側において、スタックフレーム２からダッシュパネル４０側に突出した状態で、ブラケット４を介してスタックフレーム２の下部に取付けられている。さらに、燃料ガスポンプ３８は、補助ブラケット７を介して、燃料電池スタック１０（具体的にはスタックケース）に固定されている。
【００３３】
気液分離器３７は、スタックフレーム２および燃料ガスポンプ３８からダッシュパネル４０側に突出した状態で、燃料ガスポンプ３８の下部に、ボルトナット等の締結部材３７ａを貫通孔３７ｂに挿通させて取付けられている。
【００３４】
このような取付け状態により、燃料ガスポンプ３８の車両後方の端面は、燃料電池スタック１０の車両後方の端面より後方に突出しており、気液分離器３７の車両後方の端面は、燃料ガスポンプ３８の車両後方の端面より後方に突出している。
【００３５】
具体的には、ダッシュパネル４０に対する、気液分離器３７、燃料ガスポンプ３８、および、スタックフレーム２の、燃料電池車両１の前後方向の間隔Ｓ１〜Ｓ３は、以下に示す関係を満たす。これらの間隔Ｓ１〜Ｓ３のうち、ダッシュパネル４０と気液分離器３７との間隔Ｓ１が最も小さく、次に、燃料ガスポンプ３８との間隔Ｓ２が間隔Ｓ１よりも大きく、スタックフレーム２との間隔Ｓ３が間隔Ｓ２よりもさらに大きくなる。
【００３６】
ダッシュパネル４０に一番接近している気液分離器３７は、実質的には樹脂製であり、燃料ガスポンプ３８に比べて剛性が低い。さらに、燃料ガスポンプ３８は、実質的には金属製であり、気液分離器３７に比べて剛性が高い。
【００３７】
また、燃料電池車両１では、図４および図５に示すように、燃料ガスポンプ３８は、燃料電池車両１の平面視において、燃料ガスポンプ３８を駆動するモータＭの回転軸線Ｌ１が、燃料電池車両１の前後方向に沿った基準線Ｌ２に対して傾斜するように、ブラケット４を介してスタックフレーム２に固定されている。基準線Ｌ２に対する回転軸線Ｌ１の傾斜角度としては、たとえば２０°以上かつ４０°以下である好ましい。
【００３８】
このため、燃料ガスポンプ３８は、燃料電池車両１の進行方向に対して斜めに配置固定され、燃料ガスポンプ３８の後方の角部がダッシュパネル４０の前面に対向し、この角部がダッシュパネル４０に接近している。また、気液分離器３７の後方の角部も、ダッシュパネル４０の前面に対向し、この角部がダッシュパネル４０にさらに接近している。前記のように、燃料ガスポンプ３８が傾斜してスタックフレーム２に固定されているため、燃料ガスポンプ３８の車両後方の角部とダッシュパネル４０とが当接すると、燃料ガスポンプ３８はダッシュパネル４０から離れるように回動することが可能になる。
【００３９】
本実施形態では、図４に示すように、燃料ガスポンプ３８は、フロントフェンダ寄りのスタックフレーム２に取付けられ、かつ、モータＭの回転軸線Ｌ１を、車両前方に進むに従って、燃料電池車両１の前後方向に沿った中心線に近づくように傾斜させている。なお、図４では、この中心線を上述した基準線Ｌ２に一致するように描いている。このように、配置することにより、衝突時に、燃料電池車両１の平面視において、燃料ガスポンプ３８は、フロントルームＲの空間Ｒ１で回動するので、スタックフレーム２の下部に取付けられた他の補機類と接触することを回避することができる。
【００４０】
鉄またはアルミニウムなどの金属製のブラケット４は、燃料ガスポンプ３８をスタックフレーム２に取付け固定するための部材であり、水平方向に延在する平板状の取付け部４ａを有している。取付け部４ａは、ブラケット４をスタックフレーム２に取付けるための平板状の部分であり、ブラケット４は、取付け部４ａにおいて、２つのボルト等の締結部材５ａ、５ｂにより、スタックフレーム２に取付けられている。
【００４１】
さらに、ブラケット４は、取付け部４ａの両側から下方に延在し、燃料ガスポンプ３８を挟み込む挟持部４ｂ、４ｂを有している。さらに、ブラケット４は、挟持部４ｂ、４ｂから外側に向けて延在する取付け部４ｃ、４ｃを有している。取付け部４ｃは、ブラケット４を燃料ガスポンプ３８に取付けるための部分である。このようにして、ブラケット４は、燃料ガスポンプ３８に配置された概略鞍形に形成された部材となる。さらに、取付け部４ｃ、４ｃには、燃料ガスポンプ３８をブラケット４に固定するための溶接ナット４ｄがそれぞれに２個、合計４個固着されている。
【００４２】
ブラケット４の取付け部４ａには、このブラケット４をスタックフレーム２に固定する（支持する）ための貫通孔４ｅが形成されている。上述した２つの締結部材５ａ、５ｂのうち、一方の締結部材５ａは、貫通孔４ｅに挿通した状態で、スタックフレーム２とブラケット４とを固定している。
【００４３】
本実施形態では、貫通孔４ｅに締結部材５ａが挿通され、スタックフレーム２の下面に開口している雌ねじ穴に締結部材５ａをねじ込んで、締結部材５ａの頭部とスタックフレーム２との間に、ブラケット４を挟み込むことにより、ブラケット４はスタックフレーム２の下部に固定される。この貫通孔４ｅにより、燃料ガスポンプ３８は、ブラケット４の貫通孔４ｅに挿通された締結部材５ａを中心として水平方向に回動可能に固定される（支持される）ことになる。
【００４４】
さらに、ブラケット４の取付け部４ａの縁部には、切欠き部６が形成されている。２つの締結部材５ａ、５ｂのうち、他方の締結部材５ｂが、切欠き部６に挿通した状態で、スタックフレーム２とブラケット４とを固定している。切欠き部６は、他方の締結部材５ｂの軸部が嵌合する凹部６ａと、凹部６ａから開口する開口部６ｂとを有している。切欠き部６は、凹部６ａから開口部６ｂに向かって広がるように形成されている。
【００４５】
本実施形態では、切欠き部６に締結部材５ｂが挿通され、スタックフレーム２の下面に開口している雌ねじ穴に、締結部材５ａをねじ込んで、締結部材５ｂの頭部とスタックフレーム２との間に、ブラケット４を挟み込むことにより、ブラケット４はスタックフレーム２の下部に固定される。これにより、切欠き部６に、他方の締結部材５ａが係合した状態になる。
【００４６】
さらに、本実施形態は、切欠き部６は、貫通孔４ｅに挿通された一方の締結部材５ａを回転中心として、ブラケット４が燃料ガスポンプ３８と共にスタックフレーム２に対して回動したときに、他方の締結部材５ａが、切欠き部６の開口部６ｂから抜け出すように形成されている。この結果、後述するように、燃料電池車両１の正面衝突時に、一方の締結部材５ａを回転中心として、ブラケット４が回動した際に、他方の締結部材５ｂと切欠き部６との係合が解除され、他方の締結部材５ｂを切欠き部６から円滑に離脱させることができる。
【００４７】
また、燃料ガスポンプ３８には、両側面から突出して水平方向に延在するつば状部３８ａ、３８ａが形成され、つば状部３８ａ、３８ａにはブラケット４の取付け部４ｃ、４ｃに固着された４個の溶接ナット４ｄに対応して４個の貫通孔３８ｂが形成されている。この４個の貫通孔３８ｂにボルト３８ｃ等を挿通し、スタックフレーム２の下方に締結部材５ａ、５ｂで固定したブラケット４に燃料ガスポンプ３８を取付けることができる。
【００４８】
さらに、図６Ａおよび図６Ｂに示すように、燃料ガスポンプ３８の上部が、補助ブラケット７を介して、燃料電池スタック１０に取付けられている。これにより、燃料ガスポンプ３８を、ブラケット４および補助ブラケット７の２つのブラケットを介して、燃料電池スタック１０およびスタックフレーム２に取付けることで、燃料ガスポンプ３８の取付け状態が安定する。
【００４９】
補助ブラケット７は、例えば、金属材料からなるプレート材をプレス成形した部材である。補助ブラケット７は、第１アーム７ａと、第２アーム７ｂとを備え、第１アーム７ａと、第２アーム７ｂとが、屈曲部７ｃにより連結されたＬ字状のブラケットである。
【００５０】
第１アーム７ａは、燃料ガスポンプ３８の上面に配置され、ボルトなどの締結部材７ｄを、燃料ガスポンプ３８に締結することにより、燃料ガスポンプ３８に固定されている。一方、第２アーム７ｂは、燃料ガスポンプ３８の上面から燃料電池スタック１０側に延在し、燃料電池スタック１０の側面に形成された雌ねじ孔１０ａ（図５参照）に、締結部材７ｄを締結することにより、燃料電池スタック１０に固定されている。このようにして、燃料ガスポンプ３８を、その上部において、スタックフレーム２に安定して固定することができる。
【００５１】
さらに、補助ブラケット７は、第１アーム７ａと第２アーム７ｂとを連結する屈曲部７ｃにおいて、くびれた形状になっている。すなわち、プレート状である第１および２アーム７ａ、７ｂの幅は、屈曲部７ｃに進むに従って減少している。このように、補助ブラケット７を屈曲した屈曲部において、くびれた形状にすることにより、燃料電池車両１の衝突時に燃料ガスポンプ３８が回動した際に、補助ブラケット７は、屈曲部７ｃにおいて変形し易いので、燃料ガスポンプ３８からの回動が阻害されることを抑えることができる。
【００５２】
また、図６Ａにおいて、燃料ガスポンプ３８に接続される循環流路３６を構成する配管３６Ａ、３６Ｂは、ゴム製または樹脂製の可撓性を有する配管である。配管３６Ａは燃料電池スタック１０に接続されたポンプ吐出側の配管であり、配管３６Ｂは、気液分離器３７に接続されたポンプ吸込み側の配管である。これらの配管３６Ａ、３６Ｂは、可撓性を有した配管であるので、燃料電池車両１の衝突時に、燃料ガスポンプ３８が回動しても、この回動が阻害されることを抑え、配管自体が破損することも抑えることができる。
【００５３】
本実施形態では、気液分離器３７は樹脂製であり、燃料ポンプ３８の下面に形成された２つの雌ねじ穴にボルト等の締結部材３７ａをねじ込んで取付けるようになっている。気液分離器３７は、燃料電池スタック１０から排出された燃料オフガスより気液を分離する機能を有しており、分離された液体部分は燃料電池スタック１０から排出された酸化剤オフガスと合流され、燃料電池車両１の外部に排出されるようになっている。
【００５４】
前記の如く構成された本実施形態の燃料電池車両１の作用について、図７から図１０を参照して以下に説明する。なお、図７、８は燃料ガスポンプ３８を簡略化した模式図で示しており、図９、１０は燃料ガスポンプ３８を詳細な下面図で示している。
【００５５】
燃料電池車両１が例えば障害物等に衝突すると、車両のフロントルームＲが押し潰されて変形し、燃料電池スタック１０とこれに付随する補機類は、障害物によって後方に移動する。具体的には、スタックフレーム２に取付けられた燃料電池スタック１０、コンプレッサ２２、燃料ガスポンプ３８、および気液分離器３７は後方に移動し、ダッシュパネル４０に接近する。
【００５６】
衝突の衝撃が小さい場合は、図７に示すように、燃料電池スタック１０や補機類はダッシュパネル４０に接近するだけですむ。例えば、気液分離器３７とダッシュパネル４０とが当接したときには、図３に示す間隔から、燃料ガスポンプ３８とダッシュパネル４０との間隔は（Ｓ２−Ｓ１）に変化し、スタックフレーム２とダッシュパネル４０との間隔は（Ｓ３−Ｓ１）に変化する。
【００５７】
衝突の衝撃が大きい場合には、１番後方に位置する気液分離器３７が金属製のダッシュパネル４０に衝突して破壊される。気液分離器３７は、樹脂製であるので、これが容易に破壊して衝撃を吸収する。衝撃がさらに大きい場合には、燃料ガスポンプ３８がダッシュパネル４０に衝突する。なお、気液分離器３７が、燃料ガスポンプ３８からダッシュパネル４０側に突出していない場合、または、気液分離器３７を省略する場合には、以下に示すよう、燃料ガスポンプ３８が、ダッシュパネル４０に衝突する。
【００５８】
燃料ガスポンプ３８がダッシュパネル４０に衝突すると、図８に示すように、燃料ガスポンプ３８の後方の角部がダッシュパネル４０と当接し、その後方の角部に反力が発生する。ここで、上述したように、燃料ガスポンプ３８は、燃料電池車両１の平面視において、燃料ガスポンプ３８を駆動するモータＭの回転軸線Ｌ１が、燃料電池車両１の前後方向に沿った基準線Ｌ２に対して傾斜するように、ブラケットを介してスタックフレームに固定されている。これにより、燃料ガスポンプ３８がダッシュパネル４０に接触すると、燃料ガスポンプ３８にモーメントが作用し、燃料ガスポンプ３８は、図８に示すように、ダッシュパネルから離れる方向に回動しようとする。
【００５９】
このとき、図８および図１０に示すように、貫通孔に挿通された一方の締結部材５ａを回転中心として、ブラケット４が燃料ガスポンプ３８と共にスタックフレーム２に対して反時計方向（車両外側に向かう方向）に回動し、他方の締結部材５ｂが、切欠き部６の開口部６ｂから抜け出す。
【００６０】
燃料ガスポンプ３８が反時計方向に回動すると、燃料ガスポンプ３８はダッシュパネル４０を押圧しなくなるため、燃料ガスポンプ３８のダッシュパネル４０への押圧を回避することができる。これにより、燃料ガスポンプ３８およびダッシュパネル４０の損傷を回避することができる。なお、燃料ガスポンプ３８の回動により、上方に位置する補助ブラケット７は、屈曲部７ｃにおいてねじられて、屈曲部７ｃで変形し衝撃を吸収する。燃料ガスポンプ３８の回動によりスタックフレーム２とダッシュパネル４０との間隔はＳ４となる（図８参照）。
【００６１】
特に、本実施形態では、燃料ガスポンプ３８は、フロントフェンダ４５寄りのスタックフレーム２に取付けられ、かつ、モータＭの回転軸線Ｌ１を、車両前方に進むに従って、燃料電池車両１の前後方向に沿った中心線に近づくように傾斜させている。この結果、燃料ガスポンプ３８は、フロントルームＲのフロントフェンダ４５側の空間Ｒ１に回動するので、スタックフレーム２の下部に取付けられた他の補機類と接触することを回避することができる。
【００６２】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、燃料ガスポンプの基準線として、ポンプを駆動するモータの駆動軸の回転軸線の例を示したが、これに限られるものでなく、燃料ガスポンプの重心を通る長手方向の中心線を用いてもよい。
【００６３】
また、衝突時に燃料ガスポンプをダッシュパネルから逃げるように回動させる回転中心として、締結ボルトの例を示したが、ピン等の軸材を用いて回動させるように構成してもよい。
【００６４】
本実施形態では、気液分離器を燃料ガスポンプからダッシュパネル側に突出させたが、気液分離器を燃料ガスポンプからダッシュパネル側に突出させなくてもよく、または、必要に応じて気液分離器を省略してもよい。
【符号の説明】
【００６５】
１：燃料電池車両、２：スタックフレーム、４：ブラケット、４ａ：取付け部、４ｅ：貫通孔、５ａ：一方の締結部材、５ｂ：他方の締結部材、６：切欠き部、６ａ：凹部、６ｂ：開口部、７：補助ブラケット、１０：燃料電池スタック、２２：コンプレッサ、３７：気液分離器、３８：燃料ガスポンプ（水素ポンプ）、４０：ダッシュパネル、Ｓ１，Ｓ２，Ｓ３：間隔、Ｌ１：燃料ガスポンプのモータの回転軸線、Ｌ２：燃料電池車両の前後方向の基準線、Ｍ：燃料ガスポンプのモータ、Ｒ：フロントルーム、Ｃ：キャビン
【図１】
2019142357.tif 000003
【図２】
2019142357.tif 000004
【図３】
2019142357.tif 000005
【図４】
2019142357.tif 000006
【図５】
2019142357.tif 000007
【図６Ａ】
2019142357.tif 000008
【図６Ｂ】
2019142357.tif 000009
【図７】
2019142357.tif 000010
【図８】
2019142357.tif 000011
【図９】
2019142357.tif 000012
【図１０】
2019142357.tif 000013